(57)【特許請求の範囲】
【請求項１】
下面に幅広の吸込口を有すると共に掃除面を清掃する清掃体を収納する清掃体収納室が形成され、走行用の車輪を設けた略直方体状の吸込具ケースを有し、前記清掃体は、該清掃体の一端が前記清掃体収納室内に回動可能に固定され、他端が前記清掃体収納室内を前後方向に回動できるようにしたことを特徴とする電気掃除機用吸込具。
【請求項２】
清掃体は、所定長を有する柱状の基台と、該基台の長手方向の上面に列状に設けられたブラシ体で形成されていることを特徴とする請求項１に記載の電気掃除機用吸込具。
【請求項３】
清掃体収納室内に、清掃体の回動を規制する為の規制部材が形成されていることを特徴とする請求項１又は２に記載の電気掃除機用吸込具。
【請求項４】
電動送風機を備え、請求項１〜３のいずれか１項に記載の電気掃除機用吸込具を装着した電気掃除機。
【発明の詳細な説明】
【技術分野】
【０００１】
本発明は、電気掃除機用吸込具及びそれを用いた電気掃除機に関するものである。
【背景技術】
【０００２】
従来のこの種の電気掃除機用吸込具（以下「吸込具」という）として、吸い込み口よりかつ吸い込み口の長手方向に渡って先端が突出すると共に回動自在の刷毛材と、前記刷毛材を直立方向に付勢する弾発線を有し、天井などの清掃時に刷毛材が操作に必要なだけ左右自在に首振り傾斜できるようにしたものが提案されている（特許文献１参照）。
【０００３】
また、底面に開口した吸い込み口を挟んで清掃用のブラシを前後に移動可能に設け、吸込具が前方に移動させた時に吸い込み口より後側にブラシが位置し、反対に吸込具を後方に移動させたときに吸い込み口の前側にブラシが位置するようにしてごみ残しを防止するようにしたものも提案されている（特許文献２参照）。
【先行技術文献】
【特許文献】
【０００４】
【特許文献１】実願昭５７−８９７４５号（実開昭５８−１９０９６０号公報）
【特許文献２】実願昭６０−１３４２５６号（実開昭６２−４３５５３号公報）
【発明の概要】
【発明が解決しようとする課題】
【０００５】
しかしながら、上記特許文献１に記載されたような従来の吸込具では、天井との間に隙間ができるように、刷毛材が左右に搖動する構造になっているため、刷毛材が搖動から戻る時に、塵埃等を払うのみであり、塵埃が吸い込み口から吸引しきれず外部に脱落しやすいという課題があった。
【０００６】
また、上記特許文献２に記載されたような従来の吸込具では、吸込具を前後に操作した時に、ブラシが、スライドガイド内を単に前後移動するだけで、電気掃除機の吸引力が最も強く作用する吸込具の中央部に塵埃を集めることができず塵埃除去性能が悪いという課題があった。
【０００７】
本発明は、前記従来の課題を解決するもので、塵埃除去性能に優れた電気掃除機用吸込具と電気掃除機を提供する事を目的とする。
【課題を解決するための手段】
【０００８】
前記従来の課題を解決するために、本発明の電気掃除機用吸込具は、下面に幅広の吸込口を有すると共に掃除面を清掃する清掃体を収納する清掃体収納室が形成され、走行用の車輪を設けた略直方体状の吸込具ケースを有し、前記清掃体は、該清掃体の一端が前記清掃体収納室内に回動可能に固定され、他端が前記清掃体収納室内を前後方向に回動できるようにしたもので、電気掃除機用吸込具を前後に操作することにより、掃除面に接した清掃体が清掃体収納室内で回動し、掃除面等に付着した塵埃が、清掃体により、掃き払われるように除去された後吸引されるもので、吸引力のみで除去が不十分な塵埃等も、確実に除去できる。
【０００９】
また、本発明の電気掃除機は、電動送風機を備え、請求項１〜３のいずれか１項に記載の電気掃除機用吸込具を装着したもので、電気掃除機用吸込具を前後に操作することにより、清掃体が清掃体収納室内を回動して、塵埃等を掃き払うようにして、除去した後、吸引できるので、迅速かつ的確な清掃を実現できる。また、軽量かつコンパクトな電気掃除機用吸込具を装着しているので、高い操作性を実現できる。
【発明の効果】
【００１０】
本発明の電気掃除機用吸込具は、吸引力のみで塵埃の除去が不十分な塵埃等も、確実に除去することができ、また、この電気掃除機用吸込具を電気掃除機に搭載することで掃除性能に優れた電気掃除機を提供することができる。
【図面の簡単な説明】
【００１１】
【図１】本発明の第１の実施の形態における電気掃除機用吸込具の斜視図
【図２】同電気掃除機用吸込具を前方に移動させたときの下面図
【図３】図２のＡ−Ａ断面図
【図４】同電気掃除機用吸込具を後方に移動させたときの下面図
【図５】本発明の第２の実施の形態における電気掃除機用吸込具の下面図
【図６】（ａ）本発明の第３の実施の形態における電気掃除機用吸込具の清掃体の断面図、（ｂ）同清掃体の他の例を示す断面図、（ｃ）同清掃体の他の例を示す断面図
【図７】本発明の第４の実施の形態における電気掃除機の全体側面図
【発明を実施するための形態】
【００１２】
第１の発明は、下面に幅広の吸込口を有すると共に掃除面を清掃する清掃体を収納する清掃体収納室が形成され、走行用の車輪を設けた略直方体状の吸込具ケースを有し、前記清掃体は、該清掃体の一端が前記清掃体収納室内に回動可能に固定され、他端が前記清掃体収納室内を前後方向に回動できるようにしたもので、電気掃除機用吸込具を前後に操作することにより、掃除面に接した清掃体が清掃体収納室内で回動し、掃除面等に付着した塵埃が、清掃体により、掃き払われるように除去された後吸引されるもで、吸引力のみで除去が不十分な塵埃等も、確実に除去できる。
【００１３】
また、清掃体の一端が清掃体収納室内の外縁部側に回動可能に固定され、他端が前記清掃体収納室内を回動できるようにすれば、吸込具を前方向に操作することにより、清掃体は、吸込具の中央部に塵埃が集まるような略Ｖ字形状になるように、外縁部側を支点として回動する。また、吸込具を後ろ方向に操作することにより、清掃体は、吸込具の中央部に塵埃が集まるような、吸込具を前方向に操作した時とは反対の略Ｖ字形状になるように、外縁部側を支点として回動する。このように塵埃は、吸込具を前後方向に操作することにより、いずれの場合も、中央部に集められた後、吸引されるので、清掃残しの無い清掃を、確実に実施できる。
【００１４】
第２の発明は、特に、第１の発明の清掃体は、所定長を有する柱状の基台と、基台の長手方向の上面に列状に設けられたブラシ体で形成されているもので、清掃体を、コンパクト、軽量かつ安価に製作できると共に、吸込具を前後に操作すると、清掃体は、確実に清掃体収納室内で回動する。またブラシ体が列状に設けられてあるので、清掃体が回動すると、掃除面等に付着した塵埃が、最短距離で中央部に集められる。そして集められた塵埃は、電気掃除機の吸引力により、瞬時に除去される。
【００１５】
第３の発明は、特に、第１又は第２の発明の清掃体収納室内に、清掃体の回動を規制する為の規制部材が形成されているもので、清掃体は、一定の回動状態を保持できると共に、回動時の動きに、ブレやがたつき等が発生する事が無く、ブレやがたつき等による異音等の発生を防止でき、静穏性の高い操作が実現できる。
【００１６】
第４の発明に係る電気掃除機は、電動送風機を備え、第１〜第３のいずれかの発明の電気掃除機用吸込具を装着したもので、電気掃除機用吸込具を前後に操作することにより、清掃体が清掃体収納室内を回動して、塵埃等を掃き払うようにして、除去した後、吸引できるので、迅速かつ的確な清掃を実現できる。また、軽量かつコンパクトな電気掃除機用吸込具を装着しているので、高い操作性を実現できる。
【００１７】
以下、本発明の実施の形態について、図面を参照しながら説明する。なお、この実施の形態によって本発明が限定されるものではない。
（実施の形態１）
【００１８】
図１は、本発明の第１の実施の形態における電気掃除機用吸込具の斜視図、図２は、同電気掃除機用吸込具を前方に移動させたときの下面図、図３は、図２のＡ−Ａ断面図、図４は、同電気掃除機用吸込具を後方に移動させたときの下面図である。
【００１９】
図１〜３において、本実施の形態における電気掃除機用吸込具１（以下「吸込具１」という）は、上ケース６と下ケース３から構成された略直方体状の吸込具ケース４と、下面に幅広の吸込口２を有する清掃体収納室１３と、下ケース３の前部下部に回転自在に設けられた一対の走行用の車輪９と、下ケース３の後部下部に回転自在に設けられた走行用の一対の車輪１０と、吸込口２に連通し、吸込具ケース４の後方中央部に傾動自在に設けられ、かつ電気掃除機の延長管（図示せず）の接続される接続管８と、上ケース６または／及び下ケース３の両側面、前面に渡って設けられ、家具への傷つきを防止するためのバンパー５を備えている。
【００２０】
清掃体収納室１３の左右の外縁部側のそれぞれには、略棒状の清掃体１２の一端がねじ１４などで回動自在に固定され、清掃体１２の他端が清掃体収納室１３内で、かつ掃除面に対し略平行方向で回動自在になっている。清掃体１２は、所定長を有する柱状の基台１２ａと、多数の樹脂繊維などからなり、基台１２ａの長手方向の上面に列状に設けられたブラシ体１２ｂから構成されている。
【００２１】
また、吸込具１を吸込口２を下にして掃除面に置いた時に清掃体１２のブラシ体１２ｂの先端が吸込口２から突出し掃除面に接するように構成されている。規制部材１７は、清掃体１２の基台１２ａの上面に当接するように、清掃体収納室１３内にリブ等で形成され、吸込具１を吸込口２を下にして掃除面に置いた時に、清掃体１２のブラシ体１２ｂが掃除面に押されて清掃体１２の自由端部側が吸込口２内に没するのを防止するためのものである。
【００２２】
以上のように構成された本実施の形態における吸込具１の動作、作用は以下のとおりである。
【００２３】
図２は、吸込具１を掃除面上で前側に移動させたときの状態を示すもので、吸込具１を掃除面上で前側に移動させると、ブラシ体１２ｂが掃除面に接触しその抵抗でそれぞれの清掃体１２の自由端側が吸込具１の後部側にＶ字状に回動し、ブラシ体１２ｂの前側にある掃除面上の塵埃が電気掃除機の吸引力だけでは除去しきれないものでも、掃き払われるように取り除かれ効率よく吸込具１の中央に集められ確実に吸引される。
【００２４】
逆に、図４に示すように、吸込具１を後方に引いたときは、二つの清掃体１２が掃除面から受ける抵抗で、吸込具１を前方に押したときとは反対方向にＶ字状に回動し、ブラシ体１２ｂの後側にある掃除面上の塵埃が効率よく吸込具１の中央に集められ確実に吸引されることになる。
【００２５】
また、本実施の形態では、清掃体１２は、所定長を有する柱状の基台１２ａと、該基台１２ａの長手方向の上面に列状に設けられたブラシ体１２ｂで構成されているので、清掃体１２を、コンパクト、軽量かつ安価に製作できると共に、吸込具１を前後に操作し清掃体１２が回動すると、掃除面等に付着した塵埃が、最短距離で中央部に集められ、その集められた塵埃は、吸引力により、瞬時に除去され、迅速な清掃が可能となる。
【００２６】
また、清掃体収納室１３内に、清掃体１２の回動を規制する為の規制部材１７が形成されているので、清掃体１２は、一定の回動状態を保持できる。また、回動時の動きに、ブレやがたつき等が発生する事が無く、ブレやがたつき等による異音等の発生を防止でき、静穏性の高い操作が実現できる。
【００２７】
また、規制部材１７を形成する箇所は、前記以外にも、清掃体１２の回動における停止箇所を設定して、清掃体収納室１３内にリブ等で形成してもよい。
【００２８】
また、特に図示しないが、清掃体１２における清掃体収納室１３の左右の外縁部側から略中央部までの間を支点として、回動自在に吸込具１に固定しても、上記と同様に、吸込具１を掃除面上で前側に移動させると、ブラシ体１２ｂが掃除面に接触しその抵抗でそれぞれの清掃体１２の自由端側が吸込具１の後部側にＶ字状に回動する。
（実施の形態２）
【００２９】
図５は、本発明の第２の実施の形態における電気掃除機用吸込具の下面図である。なお、上記実施の形態１における電気掃除機用吸込具と同一部分には同一符号を付してその説明を省略する。
【００３０】
上記実施の形態１における吸込具１では、清掃体１２の一端を清掃体収納室１３の外縁部側に回動自在に固定したが、本実施の形態では、図５に示すように２つの清掃体１２のそれぞれの一端を清掃体収納室１３の略中央で回動自在に固定したものである。また吸込具１を前方に移動させたときの清掃体１２の回動範囲を規制する規制部材１５ａと、吸込具１を後方に移動させたときの清掃体１２の回動範囲を規制する規制部材１５ｂがそれぞれ上ケース６に形成されている。また、規制部材１５ａ、１５ｂを、上記実施の形態１における規制部材１７に垂下形成してもよい。
【００３１】
以上のように構成された本実施の形態における吸込具の動作、作用は以下の通りである。吸込具１を前方に押したときは、実線で示すように清掃体１２の外端側が後方に回動して略Ｖ字状になり、清掃体１２の前側にある掃除面の塵埃は、斜めになった清掃体１２により外側に掃き集められた後、実線の矢印で示すように、吸引力で吸込具１の中央に移動し吸引される。
【００３２】
また、吸込具１を後方に引いたときは、２点鎖線で示すように清掃体１２の外端側が前方に回動し、清掃体１２の後側にある掃除面の塵埃は、斜めになった清掃体１２により外側に掃き集められた後、点線矢印で示すように、吸引力で吸込具１の中央に移動し吸引される。
【００３３】
また、特に図示しないが、清掃体１２における吸込具１の中央部側の端部から略中央部までの間を支点として、回動自在に吸込具１に固定しても、吸込具１を前方向に操作した時、上記同様、清掃体１２は、吸込具１の端部側に塵埃が集まるような略Ｖ字形状になる。この時、端部側の側面から吸込具１の後ろ方向に対して風路（図示せず）を設けて、塵埃が前記風路から吸引されるようにしても良い。勿論、塵埃は、吸込具１の中央部からも吸引される。
【００３４】
このように、本実施の形態における吸込具１によれば、清掃体１２が、吸込具１の中央部側の端部から略中央部までの間、あるいは外縁部側と反対側を支点として回動するので、塵埃は、清掃体１２の回動により、端部側の側面および中央部から、吸引でき、清掃残しの無い、清掃を、確実に実施することができる。
（実施の形態３）
【００３５】
図６（ａ）は、本発明の第３の実施の形態における電気掃除機用吸込具の清掃体の断面図、図６（ｂ）は、同清掃体の他の例を示す断面図、図６（ｃ）は、同清掃体の他の例を示す断面図である。
【００３６】
本実施の形態における電気掃除機用吸込具の清掃体１２２は、図６（ａ）に示すように、所定長を有する溝部１２２ｅを有する柱状の基台１２２ａと、ブラシ体１２２ｇで構成され、ブラシ体１２２ｇは、溝部１２２ｅに装着される基布１２２ｃと、基布１２２ｃにブラシ毛１２２ｄが植設された起毛布１２２ｂから形成されている。清掃体１２２は、基布１２２ｃを、溝部１２２ｅに装着する構造の為、清掃体１２２の製作を迅速、かつ安価に実施できると共に、ブラシ毛１２２ｄにより、掃除面の塵埃を確実に掃き取ることができる。
【００３７】
また、図６（ｂ）は、清掃体の他の例を示すもので、清掃体１２３は、所定長を有する溝部１２３ｅを有する柱状の基台１２３ａと、ブラシ体１２３ｇから構成され、ブラシ体１２３ｇは、溝部１２３ｅに装着される基部１２３ｃと、先端部１２３ｄに概歯切形状が形成されたブレード１２３ｂから形成されている。ブレード１２３ｂには軟質樹脂部材や、各種エラストマー等が使用されている。清掃体１２３は、軟質樹脂部材等のブレード１２３ｂを有する為、被清掃面等の塵埃を確実に掻き取る事が出来る。
【００３８】
また、図６（ｃ）は、清掃体の他の例を示すもので、清掃体１２４は、所定長を有する溝部１２４ｅを有する柱状の基台１２４ａと、ブラシ体１２４ｇから構成され、ブラシ体１２４ｇは、溝部１２４ｅに装着される基部１２４ｃと、基部１２４ｃにブラシ毛１２４ｄが植設されてあると共に、ブラシ毛１２４ｄの両側面に壁体１２４ｆが形成された起毛布１２４ｂから形成されている。
【００３９】
基部１２４ｃは、各種樹脂材料が使用されている。壁体１２４ｆは、各種樹脂部材や、各種フィルム状部材が使用されている。清掃体１２４は、ブラシ毛１２４ｄの両側面に壁体１２４ｆが形成された構造の為、ブラシ毛１２４ｄの強度補強ができると共に、被清掃面等の塵埃を清掃残りを発生させることなく、確実に除去出来る。また、図示はしないが、ブラシ毛１２４ｄのどちらか一方の側面、あるいは、ブラシ毛１２４ｄの内部に壁体１２４ｆが形成された構造も、採用できる。
【００４０】
なお、上記以外にも、図示はしないが、清掃体として、多数本のブラシ片を略中央部から折り込んで、断面概コの字状の帯状体及び芯線にて挟み付けて形成する構造も、採用できる。前記構造は、一般的にはチャンネルブラシと呼ばれている。前記構造を採用した場合には、起毛布に比べて、多数本のブラシ片を挟み付けることができる為、被清掃面等の塵埃を、強力な押付力にて強く、掻き取ることができる。
（実施の形態４）
【００４１】
図７は、本発明の第４の実施の形態における電気掃除機の全体側面図である。なお、上記実施の形態における電気掃除機用吸込具と同一部分には同一符号を付してその説明を省略する。
【００４２】
本実施の形態における電気掃除機は、前部に集塵袋１８を内蔵する集塵室１９を、後部に電動送風機２０を内蔵した電動送風機室２１をそれぞれ備え、前面に集塵袋１８と連通する接続口２２を備えた掃除機本体２３と、上記実施の形態１または２における吸込具１と、一端が接続口２２に接続され、他端に吸込具１を被清掃面(図示せず)上で移動操作するためのハンドル２４を備えたホース２５と、ホース２５のハンドル２４側端部に一端が接続される延長管２６とから構成され、延長管２６の他端に吸込具１の接続管８を接続することにより、掃除作業開始の準備が完了する。
【００４３】
そして、掃除機本体２３の運転を開始すると電動送風機２０が生成する吸引力が吸込具１の吸込口２に作用し、そこから掃除面の塵埃と共に空気が吸引され、延長管２６、ホース２５を経て掃除機本体２３内の集塵袋１８に至り、そこで塵埃と空気が分離され、きれいになった空気は、電動送風機２０を通過し、最後に掃除機本体２３の後面に設けた排気口（図示せず）から外部に排出される。
【００４４】
以上のように本実施の形態における電気掃除機は、吸込具１を前後に操作することにより、清掃体１２が清掃体収納室１３内を回動して、塵埃等を掃き払うようにして、除去した後、吸引できるので、迅速かつ的確な清掃を実現できる。また、軽量かつコンパクトな吸込具１を搭載しているので、高い操作性を実現できる。
【産業上の利用可能性】
【００４５】
以上のように、本発明にかかる電気掃除機用吸込具は、吸引力のみで塵埃の除去が不十分な塵埃等も確実に除去することができ、また、この電気掃除機用吸込具を電気掃除機に装着することで掃除性能に優れた電気掃除機を提供することができるもので、家庭用、店舗用、業務用の各種電気掃除機に適用できる。
【符号の説明】
【００４６】
１  電気掃除機用吸込具（吸込具）
２  吸込口
３  下ケース
４  吸込具ケース
５  バンパー
６  上ケース
８  接続管
９、１０  車輪
１２、１２２、１２３、１２４  清掃体
１２ａ、１２２ａ、１２３ａ、１２４ａ  基台
１２ｂ、１２２ｇ、１２３ｇ、１２４ｇ  ブラシ体
１３  清掃体収納室
１４  ねじ
１５ａ、１５ｂ、１７  規制部材
１８  集塵袋
１９  集塵室
２０  電動送風機
２１  電動送風機室
２２  接続口
２３  掃除機本体
２４  ハンドル
２５  ホース
２６  延長管
１２２ｂ、１２４ｂ  起毛布
１２２ｃ  基布
１２２ｄ、１２４ｄ  ブラシ毛
１２２ｅ、１２３ｅ、１２４ｅ  溝部
１２３ｂ  ブレード
１２３ｃ、１２４ｃ  基部
１２３ｄ  先端部
１２４ｆ  壁体
【図１】
0006485853.tif 000002
【図２】
0006485853.tif 000003
【図３】
0006485853.tif 000004
【図４】
0006485853.tif 000005
【図５】
0006485853.tif 000006
【図６】
0006485853.tif 000007
【図７】
0006485853.tif 000008